(57)【要約】【課題】  従来の高周波スイッチのアイソレーション特性は、高周波スイッチ内で使用したＳＰＳＴスイッチのアイソレーション特性で決定する構成になっていた。従って、ＳＰＳＴスイッチのアイソレーション特性が２０ｄＢ〜３０ｄＢ程度のアイソレーションしか得られないことから、高周波スイッチとしてもそれ以上の高性能なアイソレーション特性を実現することができなかった。【解決手段】  本発明による高周波スイッチは９０°ハイブリッドカプラ４にＳＰＳＴスイッチ６、８と０°または±９０°の位相差が設定できる可変移相器９，１０とを縦続接続し、可変移相器９，１０の出力端に９０°ハイブリッドカプラ１１を接続するように構成し、ＳＰＳＴスイッチ６、８のオン・オフ状態と可変移相器９，１０での移相量を連動して制御することにより、入力端子１から入力した高周波信号を、出力端子２及び出力端子３のいずれか一方に出力するようにしたものである。【選択図】図１
2007221314.tif 000002
【特許請求の範囲】
【請求項１】
入力端子から高周波信号を入力し、第１の出力端子及び第２の出力端子のいずれか一方に前記高周波信号を出力する高周波スイッチであって、
前記入力端子と前記第２の出力端子に接続された第１の９０°ハイブリッドカプラと、前記第１の９０°ハイブリッドカプラに接続された第１のＳＰＳＴスイッチ及び第２のＳＰＳＴスイッチと、前記第１のＳＰＳＴスイッチの出力端に接続された０°または±９０°の位相差を設定する第１の可変移相器と、前記第２のＳＰＳＴスイッチの出力端に接続された０°または±９０°の位相差を設定する第２の可変移相器と、前記第１の可変移相器及び第２の可変移相器の出力端と前記第１の出力端子に接続された第２の９０°ハイブリッドカプラとを備えたことを特徴とする高周波スイッチ。
【請求項２】
第１のＳＰＳＴスイッチ及び第２のＳＰＳＴスイッチのオン・オフ状態と、第１の可変移相器及び第２の可変移相器の位相差を設定する制御部を備えたことを特徴とする請求項１記載の高周波スイッチ。
【請求項３】
入力端子から高周波信号を入力し、第１の出力端子及び第２の出力端子のいずれか一方に前記高周波信号を出力する高周波スイッチであって、
前記入力端子と前記第２の出力端子に接続された第１の９０°ハイブリッドカプラと、前記第１の９０°ハイブリッドカプラに接続された第１のＳＰＳＴスイッチ及び第２のＳＰＳＴスイッチと、前記第２のＳＰＳＴスイッチの出力端に接続された０°または１８０°の位相差を設定する可変移相器と、前記第１のＳＰＳＴスイッチの出力端と前記可変移相器の出力端と前記第１の出力端子とに接続された第２の９０°ハイブリッドカプラとを備えたことを特徴とする高周波スイッチ。
【請求項４】
第１のＳＰＳＴスイッチ及び第２のＳＰＳＴスイッチのオン・オフ状態と、可変移相器の位相差を設定する制御部を備えたことを特徴とする請求項３記載の高周波スイッチ。
【発明の詳細な説明】
【技術分野】
【０００１】
本発明は、入力した高周波信号を選択した出力端子に出力する高周波スイッチに関するものである。
【背景技術】
【０００２】
高周波信号を扱う通信・レーダシステムはその性能を向上させるため、さらなる高周波化および高耐電力化の傾向にある。これらのシステムに用いられるマイクロ波送受信機では送信系の高出力信号が受信系に回り込むことにより、受信系の構成要素である低雑音増幅器を破損させてしまう恐れがある。そこで、高耐電力な高周波スイッチを用いて、送信系動作時には受信系を送信系と切り離して、受信系の電子回路を保護することが必要である。
【０００３】
このような用途で使用される高耐電力特性及び高アイソレーション特性を有する高周波スイッチの一例として、並列ＦＥＴのみを分布定数線路の素子として構成する分布型ＳＰＳＴ（Ｓｉｎｇｌｅ  Ｐｏｌｅ  Ｓｉｎｇｌｅ  Ｔｈｒｏｕｇｈ）スイッチとハイブリッドカプラとで構成された送受切換え用の高周波スイッチがある。
【０００４】
【非特許文献１】「分布型ＦＥＴ送受切換えスイッチ」（電子情報通信学会論文誌  Ｃ−Ｉ  Ｖｏｌ.Ｊ７９−Ｃ−Ｉ Ｎｏ.８  ｐｐ．３３０−３３８  １９９６年８月；図１）
【発明の開示】
【発明が解決しようとする課題】
【０００５】
しかしながら、従来の高周波スイッチのアイソレーション特性は、高周波スイッチ内で使用したＳＰＳＴスイッチのアイソレーション特性で決定する構成になっていた。従って、ＳＰＳＴスイッチのアイソレーション特性が２０ｄＢ〜３０ｄＢ程度のアイソレーションしか得られないことから、高周波スイッチとしてもそれ以上の高性能なアイソレーション特性を実現することができなかった。
【０００６】
本発明はかかる課題を解決するためになされたものであり、高性能なアイソレーション特性を有する高周波スイッチを得ることを目的とする。
【課題を解決するための手段】
【０００７】
本発明による高周波スイッチは入力端子と第２の出力端子に接続された第１の９０°ハイブリッドカプラと、前記第１の９０°ハイブリッドカプラに接続された第１のＳＰＳＴスイッチ及び第２のＳＰＳＴスイッチと、前記第１のＳＰＳＴスイッチの出力端に接続された０°または±９０°の位相差を設定する第１の可変移相器と、前記第２のＳＰＳＴスイッチの出力端に接続された０°または±９０°の位相差を設定する第２の可変移相器と、前記第１の可変移相器及び第２の可変移相器の出力端と前記第１の出力端子に接続された第２の９０°ハイブリッドカプラとを備え、前記入力端子から高周波信号を入力し、前記第１の出力端子及び第２の出力端子のいずれか一方に前記高周波信号を出力するようにしたものである。
【０００８】
また、本発明による高周波スイッチは入力端子と第２の出力端子に接続された第１の９０°ハイブリッドカプラと、前記第１の９０°ハイブリッドカプラに接続された第１のＳＰＳＴスイッチ及び第２のＳＰＳＴスイッチと、前記第２のＳＰＳＴスイッチの出力端に接続された０°または１８０°の位相差を設定する可変移相器と、前記第１のＳＰＳＴスイッチの出力端と前記可変移相器の出力端と前記第１の出力端子とに接続された第２の９０°ハイブリッドカプラとを備え、前記入力端子から高周波信号を入力し、前記第１の出力端子及び第２の出力端子のいずれか一方に前記高周波信号を出力するようにしたものである。
【発明の効果】
【０００９】
本発明によれば、０°または±９０°の位相差を設定する第１の可変移相器及び第２の可変移相器の移相量を設定することにより、第２の９０°ハイブリッドカプラで不要な信号をキャンセルできるので、第１の出力端子に不要な信号が出力されることが無く、高いアイソレーション特性を有する高周波スイッチを得ることができる。
【００１０】
本発明によれば、０°または１８０°の位相差を設定する可変移相器の移相量を設定することにより、第２の９０°ハイブリッドカプラで不要な信号をキャンセルできるので、第１の出力端子に不要な信号が出力されることが無く、高いアイソレーション特性を有する高周波スイッチを得ることができる。
【発明を実施するための最良の形態】
【００１１】
実施の形態１．
本発明の実施の形態１による高周波スイッチの構成を図１に基づいて説明する。９０°ハイブリッド回路４は入力端子１及び第２の出力端子である出力端子３に接続されると共に、端子５を介してＳＰＳＴスイッチ６と、端子７を介してＳＰＳＴスイッチ８とそれぞれ接続されている。ＳＰＳＴスイッチ６の出力端には９０°可変移相器９が接続され、ＳＰＳＴスイッチ８の出力端には９０°可変移相器１０が接続されている。９０°ハイブリッド回路１１は第１の出力端子である出力端子２に接続されると共に、端子１２を介して９０°可変移相器９と、端子１３を介して９０°可変移相器１０とそれぞれ接続されている。９０°ハイブリッド回路１１のもう一つの端子１４は終端抵抗を介して接地されている。制御部１５はＳＰＳＴスイッチ６、８及び９０°可変移相器９、１０を制御する制御信号を出力する。
【００１２】
９０°ハイブリッド回路４、１１は４つの入出力端子を持ち、一つの端子に信号を入力すると、対向側の一つの端子に入力信号より９０°位相が進んだ信号が出力され、対向側のもう一方の端子に１８０°位相が進んだ信号が出力され、残りの一つの端子には全く信号が出力されないような特性を有する素子である。
【００１３】
また、ＳＰＳＴスイッチ６、８はオン状態時には信号を通過させ、オフ状態時には信号を遮断する特性を有する素子である。但し、実際のＳＰＳＴスイッチはオフ状態時にも完全に信号を遮断することができずに、若干の信号を通過させてしまう。この信号を遮断する割合は一般にアイソレーションと呼ばれ、アイソレーションの数値が大きいほど遮断特性が優れている。通常、ＳＰＳＴスイッチのアイソレーションは２０ｄＢ〜３０ｄＢ程度である。ＳＰＳＴスイッチ６、８のオン・オフ状態の切り替えは、制御部１５が出力する制御信号によって行う。
【００１４】
また、９０°可変移相器９、１０は入力信号に対して、位相を０°または±９０°変化させて出力する機能を持つ。＋９０°変化させた場合は入力信号に対して位相が９０°進み、−９０°変化させた場合は入力信号に対して位相が９０°遅れることを意味する。可変位相量を０°、±９０°のいずれにするかは制御部１５が出力する制御信号によって決定する。
【００１５】
次に、高周波スイッチの動作を図に基づいて説明する。まず、高周波スイッチがＯＮの時の動作を図２に基づいて説明する。高周波スイッチがＯＮの時は制御部１５が出力する制御信号により、ＳＰＳＴスイッチ６とＳＰＳＴスイッチ８はいずれもオン状態に設定され、９０°可変移相器９と９０°可変移相器１０の可変位相量はいずれも０°に設定される。
【００１６】
高周波の入力信号を入力端子１から入力すると、入力信号は９０°ハイブリッド回路４で２分配され、端子５に入力信号より９０°位相が進んだ信号を出力し、端子７に入力信号より１８０°位相が進んだ信号を出力する。また、９０°ハイブリッド回路４は出力端子３には信号を出力しない。なお、以下では入力端子１における入力信号の位相を０゜として説明する。
【００１７】
ＳＰＳＴスイッチ６とＳＰＳＴスイッチ８はいずれもオン状態に設定されているので、ＳＰＳＴスイッチ６は端子５から位相９０°の信号を入力し、位相を変えずに９０°可変移相器９に出力し、ＳＰＳＴスイッチ８は端子７から位相１８０°の信号を入力し、位相を変えずに９０°可変移相器１０に出力する。９０°可変移相器９、１０での可変位相量はいずれも０°に設定されているので、９０°可変移相器９、１０に入力した信号は位相を変えずに端子１２及び端子１３に出力される。従って、９０°ハイブリッド回路１１は端子１２から位相９０°の信号を入力し、端子１３から位相１８０°の信号を入力する。
【００１８】
９０°ハイブリッド回路１１は端子１２から入力した信号を、出力端子２と端子１４に２分配して出力する。出力端子２から出力する信号は端子１２に入力した信号より位相が１８０°進んだ信号であり、端子１４から出力する信号は端子１２に入力した信号より位相が９０°進んだ信号である。従って、端子１２から入力し、出力端子２に出力する信号の位相は２７０°（＝９０°＋１８０°）となり、端子１２から入力し、端子１４に出力する信号の位相は１８０°（＝９０°＋９０°）となる。
【００１９】
一方、９０°ハイブリッド回路１１は端子１３から入力した信号も、出力端子２と端子１４に２分配して出力する。出力端子２から出力する信号は端子１３に入力した信号より位相が９０°進んだ信号であり、端子１４から出力する信号は端子１３に入力した信号より位相が１８０°進んだ信号である。従って、端子１３から入力し、出力端子２に出力する信号の位相は２７０°（＝１８０°＋９０°）となり、端子１３から入力し、端子１４に出力する信号の位相は３６０°（＝１８０°＋１８０°）となる。従って、出力端子２にはＳＰＳＴスイッチ６を通過した信号と、ＳＰＳＴスイッチ８を通過した信号が出力され、これら２つの信号の位相はいずれも２７０°なので、出力端子２では２つの信号が同相で合成されて出力されることになる。また、同様に端子１４にもＳＰＳＴスイッチ６を通過した信号とＳＰＳＴスイッチ８を通過した信号が出力されるが、ＳＰＳＴスイッチ６を通過した信号は位相１８０°（＝９０°＋９０°）であり、ＳＰＳＴスイッチ８を通過した信号は位相３６０°（＝１８０°＋１８０°）であるので、端子１４では２つの信号が逆相で合成されて、端子１４には信号は現れない。以上のように、高周波スイッチがＯＮの時は入力端子１に入力した信号は出力端子２にのみ出力されることになる。
【００２０】
次に、高周波スイッチがＯＦＦの時の動作を図３に基づいて説明する。高周波スイッチがＯＦＦの時は制御部１５が出力する制御信号により、ＳＰＳＴスイッチ６とＳＰＳＴスイッチ８はいずれもオフ状態に設定され、９０°可変移相器９の可変位相量は−９０°、９０°可変移相器１０の可変位相量は＋９０°に設定される。
【００２１】
高周波の入力信号を入力端子１から入力すると、入力信号は９０°ハイブリッド回路４で２分配され、端子５に位相９０°の信号が出力され、端子７に位相１８０°の信号が出力される。ＳＰＳＴスイッチ６、８はそれぞれオフ状態に設定されているので、端子５、７に出力された信号はＳＰＳＴスイッチ６、８の入力端で反射されて９０°ハイブリッド回路４に戻り、出力端子３に出力される。この時、ＳＰＳＴスイッチ６で反射された信号は９０°ハイブリッド回路４で位相が１８０°進むので、位相２７０°（＝９０°＋１８０°）の信号として出力端子３に出力される。一方、ＳＰＳＴスイッチ８で反射された信号は９０°ハイブリッド回路４で位相が９０°進むので、位相２７０°（＝１８０°＋９０°）の信号として出力端子３に出力される。従って、出力端子３にはＳＰＳＴスイッチ６で反射した信号と、ＳＰＳＴスイッチ８で反射した信号が出力され、これら２つの信号の位相はいずれも２７０°なので、出力端子３では２つの信号が同相で合成されて出力されることになる。
【００２２】
ここで、ＳＰＳＴスイッチ６、８のアイソレーションが低く、ＳＰＳＴスイッチ６、８がいくらか信号を通過させてしまう場合について説明する。ＳＰＳＴスイッチ６を通過した位相９０°の信号は９０°可変移相器９にて位相が９０°遅れるので、可変移相器９は端子１２に位相０°（＝９０°−９０°）の信号が出力する。一方、ＳＰＳＴスイッチ８を通過した位相１８０°の信号は９０°可変移相器１０にて位相が９０°進むので、可変移相器１０は端子１３に位相２７０°（＝１８０°＋９０°）の信号を出力する。
【００２３】
９０°ハイブリッド回路１１は端子１２及び端子１３から入力した信号を、それぞれ出力端子２と端子１４に２分配して出力する。端子１２から入力し、出力端子２に出力する信号の位相は１８０°（＝０°＋１８０°）となり、端子１２から入力し、端子１４に出力する信号の位相は９０°（＝０°＋９０°）となる。一方、端子１３から入力し、出力端子２に出力する信号の位相は３６０°（＝２７０°＋９０°）となり、端子１３から入力し、端子１４に出力する信号の位相は４５０°（＝２７０°＋１８０°）となる。従って、出力端子２にはＳＰＳＴスイッチ６を通過した信号が位相１８０°（＝０°＋１８０°）の信号として出力され、ＳＰＳＴスイッチ８を通過した信号が位相３６０°（＝２７０°＋９０°）の信号として出力されるので、出力端子２では２つの信号が逆相で合成されて出力端子２には信号は現れない。
【００２４】
一方、９０°ハイブリッド回路１１は端子１４に、ＳＰＳＴスイッチ６を通過した信号を位相９０°（＝０°＋９０°）の信号として出力し、ＳＰＳＴスイッチ８を通過した信号を位相４５０°（＝２７０°＋１８０°）の信号として出力するので、端子１４には２つの信号が同相で合成されて出力される。但し、端子１４は終端抵抗で接地されているので、端子１４に出力された信号は終端され、９０°ハイブリッド回路１１へと反射されることは無い。以上のように、高周波スイッチがＯＦＦの時は、ＳＰＳＴスイッチ６、８のアイソレーションがたとえ低くても、入力端子１に入力した信号は出力端子３にのみ出力されることになる。
【００２５】
以上のように実施の形態１による高周波スイッチは、ＳＰＳＴスイッチ６、８を通過した信号の位相を９０°可変移相器９、１０で制御するようにしたので、高周波スイッチ内部で使用するＳＰＳＴスイッチのアイソレーションが低い場合でも、９０°ハイブリッド回路１１で不要な信号を信号合成でキャンセルできるので、出力端子２に不要な信号が出力されることが無く、高周波スイッチ全体として高いアイソレーションが実現できる。
【００２６】
実施の形態２．
本発明の実施の形態２による高周波スイッチの構成を図４に基づいて説明する。なお、図１と同一部分については同一符号を付し、説明を省略し、実施の形態１との相違点について説明する。実施の形態２による高周波スイッチの構成は、実施の形態１による高周波スイッチにおける９０°可変移相器９を削除して、端子１２を介してＳＰＳＴスイッチ６と９０°ハイブリッド回路１１を直結すると共に、９０°可変移相器１０の代わりに１８０°可変移相器１６を配置したものである。１８０°可変移相器１６は制御部１５が出力する制御信号に基づいて、入力信号に対して位相を０°または１８０°進めた信号を出力する機能を持つ。可変位相量を０°、１８０°のいずれにするかは制御部１５が出力する制御信号によって決定する。
【００２７】
次に、高周波スイッチの動作を図に基づいて説明する。まず、高周波スイッチがＯＮの時の動作を図５に基づいて説明する。高周波スイッチがＯＮの時は制御部１５が出力する制御信号により、ＳＰＳＴスイッチ６とＳＰＳＴスイッチ８はいずれもオン状態に設定し、１８０°可変移相器１６の可変位相量は０°に設定する。
【００２８】
高周波の入力信号を入力端子１から入力すると、入力信号は９０°ハイブリッド回路４で２分配され、端子５に位相９０°の信号が出力され、端子７に位相１８０°の信号が出力される。また、９０°ハイブリッド回路４は出力端子３には信号を出力しない。
【００２９】
ＳＰＳＴスイッチ６、８はいずれもオン状態なので、ＳＰＳＴスイッチ６は端子５から位相９０°の信号を入力し、位相を変えずに端子１２に出力し、ＳＰＳＴスイッチ８は端子７から位相１８０°の信号を入力し、位相を変えずに１８０°可変移相器１６に出力する。１８０°可変移相器１６は可変位相量が０°に設定されているので、信号はそのまま端子１３出力される。
【００３０】
９０°ハイブリッド回路１１は端子１２から入力した信号を、出力端子２と端子１４に２分配して出力さする。出力端子２から出力する信号は端子１２から入力した信号より位相が１８０°進んだ信号であり、端子１４から出力する信号は端子１２から入力した信号より位相が９０°進んだ信号である。従って、端子１２から入力し、出力端子２に出力される信号の位相は２７０°（＝９０°＋１８０°）となり、端子１２から入力し、端子１４に出力される信号の位相は１８０°（＝９０°＋９０°）となる。
【００３１】
一方、９０°ハイブリッド回路１１が端子１３から入力した信号も、出力端子２と端子１４に２分配されて出力される。出力端子２から出力する信号は端子１３に入力した信号より位相が９０°進んだ信号であり、端子１４から出力する信号は端子１３に入力した信号より位相が１８０°進んだ信号である。従って、端子１３から入力し、出力端子２に出力される信号の位相は２７０°（＝１８０°＋９０°）となり、端子１３から入力し、端子１４に出力される信号の位相は３６０°（＝１８０°＋１８０°）となる。従って、出力端子２にはＳＰＳＴスイッチ６を通過した信号と、ＳＰＳＴスイッチ８を通過した信号が出力され、これら２つの信号の位相はいずれも２７０°なので、出力端子２では２つの信号が同相で合成されて出力されることになる。なお、同様に端子１４にもＳＰＳＴスイッチ６を通過した信号とＳＰＳＴスイッチ８を通過した信号が出力されるが、ＳＰＳＴスイッチ６を通過した信号は位相１８０°（＝９０°＋９０°）であり、ＳＰＳＴスイッチ８を通過した信号は位相３６０°（＝１８０°＋１８０°）であるので、端子１４では２つの信号が逆相で合成されて、端子１４には信号は現れない。以上のように、高周波スイッチがＯＮの時は入力端子１に入力した信号は出力端子２に選択的に出力されることになる。
【００３２】
次に、高周波スイッチがＯＦＦの時の動作を図６に基づいて説明する。高周波スイッチがＯＦＦの時は制御部１５が出力する制御信号により、ＳＰＳＴスイッチ６とＳＰＳＴスイッチ８はいずれもオフ状態に設定され、１８０°可変移相器１６の可変位相量は１８０°に設定される。即ち、１８０°可変移相器１６を通過する信号は位相が１８０°進むことになる。
【００３３】
高周波の入力信号を入力端子１から入力すると、入力信号は９０°ハイブリッド回路４で２分配され、端子５に位相９０°の信号が出力され、端子７に位相１８０°の信号が出力される。ＳＰＳＴスイッチ６、８はそれぞれオフ状態に設定されているので、端子５、７に出力された信号はＳＰＳＴスイッチ６、８の入力端で反射されて９０°ハイブリッド回路４に戻り、出力端子３に出力される。この時、ＳＰＳＴスイッチ６で反射された信号は９０°ハイブリッド回路４で位相が１８０°進むので、位相２７０°（＝９０°＋１８０°）の信号として出力端子３に出力される。一方、ＳＰＳＴスイッチ８で反射された信号は９０°ハイブリッド回路４で位相が９０°進むので、位相２７０°（＝１８０°＋９０°）の信号として出力端子３に出力される。従って、出力端子３にはＳＰＳＴスイッチ６で反射した信号と、ＳＰＳＴスイッチ８で反射した信号が出力され、これら２つの信号はいずれも位相が２７０°なので、出力端子３では２つの信号が同相で合成されて出力されることになる。
【００３４】
ここで、ＳＰＳＴスイッチ６、８のアイソレーションが低く、ＳＰＳＴスイッチ６、８がいくらか信号を通過させてしまう場合について説明する。ＳＰＳＴスイッチ６を通過した位相９０°の信号は端子１２に出力される。一方、ＳＰＳＴスイッチ８を通過した位相１８０°の信号は、１８０°可変移相器１６で位相が１８０°進められて位相３６０°（＝１８０°＋１８０°）の信号として端子１３に出力される。
【００３５】
９０°ハイブリッド回路１１は端子１２、１３から入力した信号を、それぞれ出力端子２と端子１４に２分配して出力する。端子１２から入力し、出力端子２に出力される信号の位相は２７０°（＝９０°＋１８０°）となり、端子１２から入力し、端子１４に出力される信号の位相は１８０°（＝９０°＋９０°）となる。一方、端子１３から入力し、出力端子２に出力される信号の位相は４５０°（＝３６０°＋９０°）となり、端子１３から入力し、端子１４に出力される信号の位相は５４０°（＝３６０°＋１８０°）となる。従って、出力端子２にはＳＰＳＴスイッチ６を通過した信号が位相２７０°の信号として出力され、ＳＰＳＴスイッチ８を通過した信号が位相４５０°の信号として出力されるので、出力端子２では２つの信号が逆相で合成されて出力端子２には信号は現れない。
【００３６】
一方、９０°ハイブリッド回路１１の端子１４にはＳＰＳＴスイッチ６を通過した信号が位相１８０°（＝９０°＋９０°）の信号として出力され、ＳＰＳＴスイッチ８を通過した信号が位相５４０°（＝３６０°＋１８０°）の信号として出力されるので、出力端子２では２つの信号が同相で合成されて端子１４に出力される。但し、端子１４は終端抵抗で接地されているので、端子１４に出力された信号は終端され、９０°ハイブリッド回路１１へと反射されることは無い。以上のように、高周波スイッチがＯＦＦの時は、ＳＰＳＴスイッチ６、８のアイソレーションがたとえ低くても、入力端子１に入力した信号は出力端子３のみに出力されることになる。
【００３７】
以上のように実施の形態２による高周波スイッチは、ＳＰＳＴスイッチ８を通過した信号の位相を１８０°可変移相器１６で制御するようにしたので、高周波スイッチ内部で使用するＳＰＳＴスイッチのアイソレーションが低い場合でも、９０°ハイブリッド回路１１で不要な信号を信号合成でキャンセルできるので、出力端子２に不要な信号が出力されることが無く、高周波スイッチ全体として高いアイソレーションが実現できる。
【００３８】
また、可変移相器の使用個数が１個ですむので、実施の形態１による高周波スイッチよりも部品点数が削減でき、耐故障性能の向上、生産コストの低減も図れる。
【図面の簡単な説明】
【００３９】
【図１】本発明の実施の形態１による高周波スイッチの構成を示す図である。
【図２】本発明の実施の形態１による高周波スイッチのＯＮ時の動作を説明する図である。
【図３】本発明の実施の形態１による高周波スイッチのＯＦＦ時の動作を説明する図である。
【図４】本発明の実施の形態２による高周波スイッチの構成を示す図である。
【図５】本発明の実施の形態２による高周波スイッチのＯＮ時の動作を説明する図である。
【図６】本発明の実施の形態２による高周波スイッチのＯＦＦ時の動作を説明する図である。
【符号の説明】
【００４０】
１・・・・  入力端子
２・・・・  第１の出力端子
３・・・・  第２の出力端子
４・・・・  ９０°ハイブリッド回路
６・・・・  ＳＰＳＴスイッチ
８・・・・  ＳＰＳＴスイッチ
９・・・・  ９０°可変移相器
１０・・・・  ９０°可変移相器
１１・・・・  ９０°ハイブリッド回路
１５・・・・  制御部
１６・・・・  １８０°可変移相器
【図１】
2007221314.tif 000003
【図２】
2007221314.tif 000004
【図３】
2007221314.tif 000005
【図４】
2007221314.tif 000006
【図５】
2007221314.tif 000007
【図６】
2007221314.tif 000008